(57)【要約】【課題】  従来、冷蔵冷凍車で使用される軽量化した断熱部材で構成された中仕切り体を、天井部の保管場所へ持ちあげ収納、積み下ろしする作業にかかる作業者の作業負荷の低減を図る。【解決手段】  冷蔵冷凍車の庫内において、天井部近傍の庫内両側間に架設し中仕切り体の前後の一側縁部を載置支持する支持パイプと、庫内両側間に架設し中仕切り体の前後の他側縁部を持ち上げ支持する支持操作ベルトと、支持操作ベルトの架設端部に配設したベルトロック機構と、ベルトロック機構に対向して配設したロック解除機構とよりなり、しかも、支持パイプと支持操作ベルトの間隔は中仕切り体の前後幅員より短い間隔に構成したことを特徴とする冷蔵冷凍車の中仕切り体の収納構造を提供する。【選択図】図８
2018193030.tif 000002
【特許請求の範囲】
【請求項１】
冷蔵冷凍車の庫内において、天井部近傍の庫内両側間に架設し中仕切り体の前後の一側縁部を載置支持する支持パイプと、庫内両側間に架設し中仕切り体の前後の他側縁部を持ち上げ支持する支持操作ベルトと、支持操作ベルトの架設端部に配設したベルトロック機構と、ベルトロック機構に対向して配設したロック解除機構とよりなり、しかも、支持パイプと支持操作ベルトの間隔は中仕切り体の前後幅員より短い間隔に構成したことを特徴とする冷蔵冷凍車の中仕切り体の収納構造。
【請求項２】
支持パイプは、庫内両側に設けた左右のラッシングレールの係合孔に断面Ｕ字状のソケット金具を左右に取外し自在に係合して左右のソケット金具間に取外し自在に架設したことを特徴とする請求項1に記載の冷蔵冷凍車の中仕切り体の収納構造。
【請求項３】
支持操作ベルトは、庫内両側に設けた左右のラッシングレールの係合孔に断面Ｕ字状のソケット金具を左右に取外し自在に係合して左右のソケット金具間に取外し自在に中空バーを架設し中空バー内に摺動自在にベルト本体を収納すると共に、ベルト本体の一端は固定しベルト本体中途部は下方に垂らして中仕切り体側縁部を支持持ち上げ可能な受けベルト部を形成したことを特徴とする請求項1ないし２に記載の冷蔵冷凍車の中仕切り体の収納構造。
【請求項４】
ベルトロック機構は、支持操作ベルトの架設部から垂下した垂下ベルトの中途部に配設し、上部を中空バーに枢支したロック操作金具と、ロック操作金具の下部に梃子支点として枢支したロック作動体と、ロック作動体の上部一側に設けた梃子力点としてのロックレバー部と、ロック作動体の下部他側に設けた梃子作用点としてのベルト付勢圧着部とより構成すると共に、ロック作動体の枢支部をロック操作金具上部の枢支部よりも後退位置に配設することによるカム機能によってベルト付勢圧着部のベルトロック機能を果し、ロック解除機構によるロック操作金具の回動によりロックレバー部が中空バーに架設したレバー受け軸と当接しベルト付勢圧着部の圧着解除を行うように構成したことを特徴とする請求項１ないし３に記載の冷蔵冷凍車の中仕切り体の収納構造。
【請求項５】
ロック解除機構は、上端を中空バーに固定してそのまま下方に垂下した解除ベルトにより構成すると共に、解除ベルトは上端固定位置を中心にロック操作金具方向に揺動しロック操作金具に当接することによりロック作動体のベルト付勢圧着部が支持操作ベルトへの圧着を解除しベルトロック機構が解除されるように構成したことを特徴とする請求項1ないし４に記載の冷蔵冷凍車の中仕切り体の収納構造。
【発明の詳細な説明】
【技術分野】
【０００１】
本発明は、冷蔵冷凍車において冷蔵・冷凍室間を間仕切る中仕切り体を不使用時に庫内天井部に効率的に収納が行える冷蔵冷凍車の中仕切り体の収納構造に関する。
【背景技術】
【０００２】
従来、保冷車の荷台に設けられた保冷庫は積載する生鮮食品、チルド品、冷凍品等の積載物の種類によって冷蔵状態や冷凍状態に区分して保冷運搬することがある。
【０００３】
かかる保冷車の効率的な有効稼働の観点から保冷車の庫内を中仕切り体によって冷凍室と冷蔵室に区分し冷凍・冷蔵の双方機能を保有する冷蔵冷凍車が生鮮食品等の保冷運搬作業に活躍する。
しかし、この中仕切り体の不使用時には作業の邪魔になるため庫内の適宜個所・適宜手段によって収納保管する必要がある。
【０００４】
保冷庫内における中仕切り体の収納保管場所としては、天井面、壁面、床面などが考えられるが、壁面や床面では庫内の有効空間を塞いでしまい出し入れなどの作業時に邪魔になる。そのため、作業時に最も邪魔になりにくい天井面に保管することが適している。
【０００５】
このように保冷庫内の中仕切り体を天井部に収納保管する方法については、下記特許文献に開示されている。
特許文献１には、保冷庫内の天井面左右側部及び天井面中央部に配設したレールに該レール上を摺動可能とするための走行体を中仕切り体の一側端縁に配設し、この中仕切り体の他側端縁には天井面に固定するためのワンタッチバックルを設けている。このように構成された中仕切り体を天井面に収納する際は、中仕切り体の一側端縁に配設した走行体を枢軸として中仕切り体を庫内後部に向けて回動し、他側端縁に配設したワンタッチバックルを該バックルと対を成す天井面に配設されたバックルとを係合することで天井面に固定し収納することができる。
【先行技術文献】
【特許文献】
【０００６】
【特許文献１】特開２００３−１１４０７９号公報
【発明の開示】
【発明が解決しようとする課題】
【０００７】
しかし、上記文献は中仕切り体の一端部を天井面に固定し、固定した部分を枢軸として庫内後部方向に対して中仕切り体の他端部を回転させることで中仕切り体を天井部に収納固定するため、中仕切り体を収納するためには中仕切り体の周囲に回転可能なスペースを確保する必要があり煩雑な収納作業で作業担当者に大きな負荷を与えていた。
【０００８】
そこで本発明では、中仕切り体を庫内横断方向に懸架した持ち上げベルトにより天井部近傍まで持ち上げ庫内両側壁間に架設したパイプと持ち上げベルトを介して天井部近傍に収納することにより上記の課題を解決することができる冷蔵冷凍車の中仕切り体の収納構造を提供するものである。
【課題を解決するための手段】
【０００９】
この発明は、冷蔵冷凍車の庫内において、天井部近傍の庫内両側間に架設し中仕切り体の前後の一側縁部を載置支持する支持パイプと、庫内両側間に架設し中仕切り体の前後の他側縁部を持ち上げ支持する支持操作ベルトと、支持操作ベルトの架設端部に配設したベルトロック機構と、ベルトロック機構に対向して配設したロック解除機構とよりなり、しかも、支持パイプと支持操作ベルトの間隔は中仕切り体の前後幅員より短い間隔に構成したことを特徴とする冷蔵冷凍車の中仕切り体の収納構造を提供せんとする。
【００１０】
また、支持パイプは、庫内両側に設けた左右のラッシングレールの係合孔に断面Ｕ字状のソケット金具を左右に取外し自在に係合して左右のソケット金具間に取外し自在に架設したことを特徴とする。
【００１１】
また、支持操作ベルトは、庫内両側に設けた左右のラッシングレールの係合孔に断面Ｕ字状のソケット金具を左右に取外し自在に係合して左右のソケット金具間に取外し自在に中空バーを架設し中空バー内に摺動自在にベルト本体を収納すると共に、ベルト本体の一端は固定しベルト本体中途部は下方に垂らして中仕切り体側縁部を支持持ち上げ可能な受けベルト部を形成したことを特徴とする。
【００１２】
また、ベルトロック機構は、支持操作ベルトの架設部から垂下した垂下ベルトの中途部に配設し、上部を中空バーに枢支したロック操作金具と、ロック操作金具の下部に梃子支点として枢支したロック作動体と、ロック作動体の上部一側に設けた梃子力点としてのロックレバー部と、ロック作動体の下部他側に設けた梃子作用点としてのベルト付勢圧着部とより構成すると共に、ロック作動体の枢支部をロック操作金具上部の枢支部よりも後退位置（庫内中心側）に配設することによるカム機能によってベルト付勢圧着部のベルトロック機能を果し、ロック解除機構によるロック操作金具の回動によりロックレバー部が中空バーに架設したレバー受け軸と当接しベルト付勢圧着部の圧着解除を行うように構成したことを特徴とする。
【００１３】
また、ロック解除機構は、上端を中空バーに固定してそのまま下方に垂下した解除ベルトにより構成すると共に、解除ベルトは上端固定位置を中心にロック操作金具方向に揺動しロック操作金具に当接することによりロック作動体のベルト付勢圧着部が支持操作ベルトへの圧着を解除しベルトロック機構が解除されるように構成したことを特徴とする。
【発明の効果】
【００１４】
請求項１の発明によれば、冷蔵冷凍車の庫内において、天井部近傍の庫内両側間に架設し中仕切り体の前後の一側縁部を載置支持する支持パイプと、庫内両側間に架設し中仕切り体の前後の他側縁部を持ち上げ支持する支持操作ベルトと、支持操作ベルトの架設端部に配設したベルトロック機構と、ベルトロック機構に対向して配設したロック解除機構とよりなり、しかも、支持パイプと支持操作ベルトの間隔は中仕切り体の前後幅員より短い間隔に構成したことにより、中仕切り体を庫内天井部に収納する際には、支持操作ベルトを引っ張って緊張状態とすることにより中仕切り体は持ち上げられて前後端縁部が支持パイプと支持操作ベルトによって支持され天井部近傍に収納される。
庫内を中仕切り体で冷蔵冷凍室に仕切るに際しては、緊張して持ち上げた支持操作ベルトを弛緩して中仕切り体を床部に積み降ろす。このように支持操作ベルトの操作で安全容易にかつ作業者に大きな労働負荷をかけることなく中仕切り体の収納取り出しを行うことができる効果がある。
【００１５】
請求項２の発明によれば、支持パイプは、庫内両側に設けた左右のラッシングレールの係合孔に断面Ｕ字状のソケット金具を左右に取外し自在に係合して左右のソケット金具間に取外し自在に架設したことにより、中仕切り体の収納位置を予め勘案しながらソケット金具を左右のラッシングレールの選択した係合孔に係合することができる。すなわち、支持パイプの庫内前後の架設位置をソケット金具の単なる位置変え操作で行うことができ、また中仕切り体を冷蔵冷凍室の仕切りに使用する場合は、その位置を予め想定してソケット金具の係合位置を選択しておくことにより積み下ろし作業が最も行い易い位置において予め収納位置決定し収納作業をすることができる効果がある。
【００１６】
請求項３の発明によれば、また、支持操作ベルトは、庫内両側に設けた左右のラッシングレールの係合孔に断面Ｕ字状のソケット金具を左右に取外し自在に係合して左右のソケット金具間に取外し自在に中空バーを架設し中空バー内に摺動自在にベルト本体を収納すると共に、ベルト本体の一端は固定しベルト本体中途部は下方に垂らして中仕切り体側縁部を支持持ち上げ可能な受けベルト部を形成したことにより、中空パイプと同様に予め中仕切り体の持ち上げ収納位置及び積み下ろし位置をラッシングレールの係合孔に係合したソケット金具の位置選択によって行うことができ、適切な中仕切り体の位置で収納積み下ろし作業が行え作業者の労働負荷を低減できる効果がある。また、中仕切り体の持ち上げ、積み下ろし作業は支持操作ベルトの緊張、弛緩作業により行うことができるために庫内での中仕切り体の取扱い作業が安全容易に行え作業負荷も可及的に低減することができる効果がある。
【００１７】
請求項４の発明によれば、また、ベルトロック機構は、支持操作ベルトの架設部から垂下した垂下ベルトの中途部に配設し、上部を中空バーに枢支したロック操作金具と、ロック操作金具の下部に梃子支点として枢支したロック作動体と、ロック作動体の上部一側に設けた梃子力点としてのロックレバー部と、ロック作動体の下部他側に設けた梃子作用点としてのベルト付勢圧着部とより構成すると共に、ロック作動体の枢支部をロック操作金具上部の枢支部よりも後退位置（庫内中心側）に配設することによるカム機能によってベルト付勢圧着部のベルトロック機能を果し、ロック解除機構によるロック操作金具の回動によりロックレバー部が中空バーに架設したレバー受け軸と当接しベルト付勢圧着部の圧着解除を行うように構成したことにより、梃子原理を応用した簡単な機械的構造のベルトロック機構を提供することができる効果がある。
【００１８】
請求項５の発明によれば、また、ロック解除機構は、上端を中空バーに固定してそのまま下方に垂下した解除ベルトにより構成すると共に、解除ベルトは上端固定位置を中心にロック操作金具方向に揺動しロック操作金具に当接することによりロック作動体のベルト付勢圧着部が支持操作ベルトへの圧着を解除しベルトロック機構が解除されるように構成したことにより、梃子原理と強制的なベルト操作機構を応用した機械的構造で支持操作ベルトのロック解除が安全容易に行えるロック解除機構を提供することができる効果がある。
【図面の簡単な説明】
【００１９】
【図１】本発明の実施形態にかかる冷蔵冷凍車の中仕切り体を配設した状態を示す側面図である。
【図２】本発明の実施形態にかかる冷蔵冷凍車の中仕切り体を天井面に収納した状態を示す側面図である。
【図３】本発明の実施形態にかかる支持パイプとラッシングレールとソケット金具の関係を示す拡大斜視図である。
【図４】本発明の実施形態にかかる中空バーとラッシングレールとソケット金具と支持操作ベルトとロック解除ベルトの関係を示す拡大斜視図である。
【図５】本発明の実施形態にかかるベルトロック機構の固定状態を示す側面図である。
【図６】本発明の実施形態にかかるベルトロック機構の開放状態を示す側面図である。
【図７】本発明の実施形態にかかるベルトロック機構の固定状態と開放状態を示す模式図である。
【図８】本発明の実施形態にかかる中仕切り体を天井部に収納したり、積み下ろしたりする際の状態を示した図の支持パイプに中仕切り体の一側端縁を当接させた状態を示す図である。
【図９】本発明の実施形態にかかる中仕切り体を天井部に収納したり、積み下ろしたりする際の状態を示した図の支持操作ベルトに中仕切り体の他側端縁を載置し脱落防止ベルトにて中仕切り体を固定した状態を示す図である。
【図１０】本発明の実施形態にかかる中仕切り体を天井部に収納したり、積み下ろしたりする際の状態を示した図の垂下ベルトを下方に引張り支持操作ベルトを緊張状態として中仕切り体を天井部に収納した状態を示す図である。
【発明を実施するための最良の形態】
【００２０】
この発明の要旨は、冷蔵冷凍車の庫内において、天井部近傍の庫内両側間に架設し中仕切り体１０の前後の一側縁部を載置支持する支持パイプ２０と、庫内両側間に架設し中仕切り体１０の前後の他側縁部を持ち上げ支持する支持操作ベルト４０と、支持操作ベルト４０の架設端部に配設したベルトロック機構５０と、ベルトロック機構５０に対向して配設したロック解除機構６０とよりなり、しかも、支持パイプ２０と支持操作ベルト４０の間隔は中仕切り体１０の前後幅員より短い間隔に構成したことを特徴とする冷蔵冷凍車の中仕切り体１０の収納構造に関する。
【００２１】
また、支持パイプ２０は、庫内両側に設けた左右のラッシングレール８０の係合孔に断面Ｕ字状のソケット金具８２を左右に取外し自在に係合して左右のソケット金具８２間に取外し自在に架設したことを特徴とする。
【００２２】
また、支持操作ベルト４０は、庫内両側に設けた左右のラッシングレール８０の係合孔に断面Ｕ字状のソケット金具８２を左右に取外し自在に係合して左右のソケット金具８２間に取外し自在に中空バー３０を架設し中空バー３０内に摺動自在に支持操作ベルト４０本体を収納すると共に、支持操作ベルト４０本体の一端は固定し支持操作ベルト４０本体中途部は下方に垂らして中仕切り体１０側縁部を支持して持ち上げ可能な受けベルト部４２を形成したことを特徴とする。
【００２３】
また、ベルトロック機構５０は、支持操作ベルト４０の架設部から垂下した垂下ベルト４１の中途部に配設し、上部を中空バー３０に枢支したロック操作金具５１と、ロック操作金具５１の下部に梃子支点として枢支したロック作動体５２と、ロック作動体５２の上部一側に設けた梃子力点としてのロックレバー部５３と、ロック作動体５２の下部他側に設けた梃子作用点としてのベルト付勢圧着部５４とより構成すると共に、ロック作動体５２の枢支部５５をロック操作金具５１上部の枢支部５６よりも後退位置（庫内中心側）に配設することによるカム機能によってベルト付勢圧着部５４のベルトロック機能を果し、ロック解除機構６０によるロック操作金具５１の回動によりロックレバー部５３が中空バー３０に架設したレバー受け軸７０と当接しベルト付勢圧着部５４の圧着解除を行うように構成したことを特徴とする。
【００２４】
また、ロック解除機構６０は、上端を中空バー３０に固定してそのまま下方に垂下した解除ベルト６１により構成すると共に、解除ベルト６１は上端固定位置を中心にロック操作金具５１方向に揺動しロック操作金具５１に当接することによりロック作動体５２のベルト付勢圧着部５４が支持操作ベルト４０への圧着を解除しベルトロック機構５０が解除されるように構成したことを特徴とする。
【００２５】
この発明の実施例を図面に基づき詳説する。
【００２６】
図１は、本発明実施例の冷蔵冷凍車の中仕切り体１０の収納構造に関する全体の説明図である。すなわち、本発明は、図１に示すように、冷蔵冷凍車の庫内において冷蔵室と冷凍室の境に中仕切り体１０を介在して両部屋を仕切り、不用のときは中仕切り体１０を庫内の天井部の近傍に収納するための構造に関する。
【００２７】
中仕切り体１０は庫内の横断面に略相当する面積を有し庫内を仕切って冷蔵室と冷凍室に区分する断熱機能を有するボードからなり、収納時あるいは収納する際に落下して怪我をする蓋然性を可及的に低減するために長手方向一側端縁の短手方向略中央部に前後方向への摺動を規制する脱落防止ベルト１１を配設している。
【００２８】
通常は、庫内の横断面に略相当する面積の中仕切り体１０を中央から左右に分離した単体の仕切り体とし、本件発明の収納構造においては左右単体の仕切り体に分離してそれぞれを別個に庫内に収納する。
【００２９】
すなわち、庫内には前後位置において本発明の冷蔵冷凍車の中仕切り体１０の収納構造を設置しそれぞれの前後の収納構造に左右分離した中仕切り体１０単体を収納する。中仕切り体１０を仕切りとして使用する場合は、前後の中仕切り体１０の収納構造からそれぞれ中仕切り体１０を積み下ろして左右の中仕切り体１０を一体に組み立て中仕切り体１０として庫内の仕切り位置に設置する。
【００３０】
以下においては庫内の前後に設置する中仕切り体１０の収納構造のうちいづれか一方の収納構造について説明し、他方の中仕切り体の収納構造は同様の技術とする。
【００３１】
図１に示すように、冷蔵冷凍品専用の運搬車庫内には前後位置において庫内を横断する状態に中仕切り体１０が庫内両側壁に架設されている。なお、図中、Ｔは冷蔵冷凍車専用の運搬車を示す。
【００３２】
本発明においては、中仕切り体１０は一端側縁部を支持パイプ２０に載置支持させると共に、支持パイプ２０に載置された中仕切り体１０の幅員と略同等の幅位置に位置決めガイド２１を配設して横方向への摺動を規制し、他端側縁部を支持操作ベルト４０のベルト本体の中途たるみ部分に載置支持させて、中仕切り体１０の一側端縁の左右方向略中央部に配設した前後方向への摺動を規制する脱落防止ベルト１１を該支持操作ベルト４０と係合した状態で支持操作ベルト４０のベルト本体を緊張弛緩させることにより、中仕切り体１０を庫内で持ち上げ収納し、積み下ろし使用することを基本としている。
【００３３】
支持パイプ２０と対となって庫内に架設されている中空バー３０内には摺動自在に支持操作ベルト４０のベルト本体を収納すると共に、ベルト本体の一端は固定しベルト本体中途部は下方に垂らして中仕切り体１０側縁部を支持して持ち上げ可能な受けベルト部４２を形成し、しかも、支持パイプ２０と中空バー３０（もしくは受けベルト部４２）との前後間隔は中仕切り体１０の前後幅員よりも短い長さに構成している。
【００３４】
従って、略長方形の中仕切り体１０は前後の一側縁部を載置支持する支持パイプ２０と、中仕切り体１０の前後の他側縁部を持ち上げ支持する受けベルト部４２とによって中仕切り体１０の前後側縁部が支持され庫内天井部近傍に収納される。
【００３５】
以下に図面に基づきかかる構造の詳細を順次説明する。
【００３６】
天井部近傍の庫内両側間に架設して中仕切り体１０の一側縁部を載置支持する支持パイプ２０は、図３に示すように庫内両側に設けた左右のラッシングレール８０の係合孔に断面Ｕ字状のソケット金具８２を左右とも取外し自在に係合することにより左右のソケット金具８２間に取外し自在に架設している。
【００３７】
庫内両側に設けた左右のラッシングレール８０は、前後所定位置の係合孔を選択してソケット金具８２を係合することにより庫内の前後位置における支持パイプ２０と後述する中空バー３０の前後の架設位置を調整することができる。
【００３８】
また、ラッシングレール８０は、庫内両側の中段にもラッシングレール８１を配設している。図１及び図２に示すようにこのラッシングレール８１は、中仕切り体１０を冷蔵冷凍の仕切り体として立設する際に使用する。すなわち、中仕切り体１０を所定位置に立設固定するために庫内中段のラッシングレール８１を使用し、中段のラッシングレール８１にソケット金具８２を介して支持パイプ２０を庫内中途部に架設し左右の中仕切り体１０単体を支持パイプ２０に立てかけ後述する中空バー３０とともに挟持固定することにより中仕切り体１０の仕切り状態をつくる。
【００３９】
また、庫内には支持パイプ２０と一定の間隔を保持して中空バー３０が横架されている。
【００４０】
すなわち、図１及び図２に示すように支持パイプ２０と同様に庫内両側に設けた左右のラッシングレール８０の係合孔に断面Ｕ字状のソケット金具８２を左右に取外し自在に係合して左右のソケット金具８２間に取外し自在に中空バー３０を架設している。
【００４１】
中空バー３０は、図４に示すように下方開口の断面逆Ｕ字状に形成されており、しかも、中空バー３０内には摺動自在に支持操作ベルト４０のベルト本体を収納すると共に、ベルト本体の一端は中空バー３０に固定しベルト本体中途部は下方に垂らして中仕切り体１０側縁部を支持持ち上げ可能な受けベルト部４２を形成している。すなわち、支持操作ベルト４０はベルト本体によって庫内両側間に架設され中仕切り体１０の前後の他側縁部を持ち上げ支持する機能を果たす。
【００４２】
なお、支持パイプ２０と中空バー３０内に摺動自在に収納した支持操作ベルト４０との間隔は中仕切り体１０の前後幅員より短い間隔に構成している。
【００４３】
また、支持操作ベルト４０の架設端部にはベルトロック機構５０を配設すると共に、ベルトロック機構５０に対向してロック解除機構６０を配設している。
【００４４】
ベルトロック機構５０は、図５に示すように支持操作ベルト４０の架設部から垂下した垂下ベルト４１の中途部に配設しており、上部を中空バー３０に枢支したロック操作金具５１と、ロック操作金具５１の下部に梃子支点として枢支したロック作動体５２と、ロック作動体５２の上部一側に設けた梃子力点としてのロックレバー部５３と、ロック作動体５２の下部他側に設けた梃子作用点としてのベルト付勢圧着部５４とより構成している。
【００４５】
しかも、図５に示すようにかかるベルトロック機構５０において、ロック作動体５２の枢支部５５はロック操作金具５１上部の枢支部５６よりも後退位置（庫内中心側）に配設すると共に、該枢支部５５には付勢バネ（図示せず）を介在することによりカム機能とバネ付勢機能によってベルト付勢圧着部５４を支持操作ベルト４０に圧着しベルト本体の摺動を阻止するロック機能を果たす。なお、ベルト付勢圧着部５４はベルト本体との当接面にローレット加工や凹凸加工等を行うことによりベルトの滑動を防止している。
【００４６】
また、ベルトロック機構５０に対向する位置にはロック解除機構６０を配設している。
【００４７】
ロック解除機構６０は図５に示すように上端を中空バー３０に固定してそのまま下方に垂下した解除ベルト６１により構成し、解除ベルト６１は上端固定位置を中心にロック操作金具５１方向に揺動しロック操作金具５１に当接することによりベルト付勢圧着部５４を支持操作ベルト４０から離反させ圧着解除を行うことによりベルトロック機構５０の解除を遂行するように構成している。
【００４８】
具体的に述べれば、図６に示すように解除ベルト６１が揺動してロック操作金具５１と当接し後退方向に押しやればロック操作金具５１は上部の枢支部５６を中心として後退方向に揺動する。
【００４９】
同時にロック操作金具５１の下部に枢支したロック作動体５２もロック操作金具５１と共に後退方向に揺動する。他方、ロック作動体５２には上方に起立したロックレバー部５３を連設しており、しかも、ロックレバー部５３の後面部はロック操作金具５１の後方に配設したレバー受け軸７０に常時当接している。
【００５０】
すなわち、図５に示すように、起立状態のロックレバー部５３はロック操作金具５１やロック作動体５２と共に後退方向に変位すると、ロックレバー部５３の後面部はレバー受け軸７０と当接しているためにロックレバー部５３は図６に示すように右方向に回動することになりロックレバー部５３と一体のベルト付勢圧着部５４は支持操作ベルト４０の垂下ベルト４１面から離反し、支持操作ベルト４０はロックが解除されてフリー状態となる。
【００５１】
この作動状態を図７に示す模式図に基づき説明すると、ロック操作金具５１のロック状態では、ロックレバー部５３のレバー伸延方向の仮想直線９０は、ロック操作金具５１上部の枢支部５６とロック作動体５２の枢支部５５との仮想直線９１とαの角度を保持してベルト付勢圧着部５４のロック作動が行われている。
【００５２】
ところが、ロック解除すべくロック操作金具５１を後退方向に変位すると、起立状態のロックレバー部５３は後面部がレバー受け軸７０と当接しているためにロックレバー部５３は図面の右方向に強制回動することになり、ロックレバー部５３のレバー伸延方向の仮想直線９０はロック操作金具５１上部の枢支部５６とロック作動体５２の枢支部５５とを結んだ仮想直線９１とで形成される角度はβとなる。すなわち、ロックレバー部５３の角度がαからβの角度に変更されることになり、必然的に角度βが角度αよりも小さくなる。そのため、ロックレバー部５３は模式図面で右回動してベルト付勢圧着部５４は支持操作ベルト４０の垂下ベルト４１面から離反し支持操作ベルト４０はロックが解除されてフリー状態となり摺動できる。
【００５３】
この発明の中仕切り体１０の収納構造は上記のように構成されており、かかる構造を利用した中仕切り体１０の収納操作および中仕切り体１０の積み下ろし設置操作を具体的に説明する。
【００５４】
中仕切り体１０を構成する左右の中仕切り体１０単体を天井部近傍に収納する手順は、図８から図１０に示すようにまず中仕切り体１０の一側縁部を支持パイプ２０に配設された位置決めガイド２１内に立てかけて縦又は斜め方向の姿勢とし、次いで手動により中仕切り体１０の他側縁部を支持操作ベルト４０を弛緩して形成した受けベルト部４２に載置し脱落防止ベルト１１で固定する。次いで、支持操作ベルト４０の垂下ベルト４１を下方に引っ張ると弛んだ受けベルト部４２は緊張状態で上昇し中仕切り体１０を庫内天井部近くまで持ち上げる。
【００５５】
その際に中仕切り体１０の一側縁部は支持パイプ２０上で回転しながら中仕切り体１０が縦姿勢から略水平姿勢に変位し天井部に近づく動作を補助する。
【００５６】
この際に、ロック作動体５２には垂下ベルト４１を下方に引っ張ることで垂下ベルト４１と当接したベルト付勢圧着部５４を介して枢支部５５を中心に、図５におけるロックレバー５３を右方向に回動させる回転モーメントが発生する。そのため、ベルト付勢圧着部５４からの垂下ベルト４１への圧力が低下し、ロック機能が作動することなく垂下ベルト４１を摺動することができる。
【００５７】
さらに、中仕切り体１０が所定の収納位置まできたら垂下ベルト４１を下方に引っ張ることを停止すると、受けベルト部４２に載置された中仕切り体１０の重さにより垂下ベルト４１が上方に引っ張られる。しかし、ロック作動体５２には垂下ベルト４１と当接したベルト付勢圧着部５４を介して枢支部５５を中心に、図５におけるロックレバー５３を左方向に回動させる回転モーメントが発生するため、ベルト付勢圧着部５４からの垂下ベルト４１への圧力が上昇する。その結果、垂下ベルト４１が上方に変移することを規制して、中仕切り体１０が天井部近傍に持ち上げられた状態で支持操作ベルト４０にロックされて収納作業が完了する。
【００５８】
また、中仕切り体１０を庫内の仕切りとして使用するために支持パイプ２０と支持操作ベルト４０とから積み下ろす場合は、図６に示すようにまず解除ベルト６１をロック操作金具５１方向に引っ張ることによりロック作動体５２を介してベルト付勢圧着部５４を垂下ベルト４１面から離反させてロック解除操作を行う。
【００５９】
その後図９に示すように支持操作ベルト４０を弛緩して受けベルト部４２を弛ませて降下させ中仕切り体１０の他側縁部を庫内床面まで下ろす。その後は積み下ろした中仕切り体１０単体の略中央部に配設された脱落防止ベルト１１を外して中仕切り体１０を稼動できる状態にしてから手動で組み合わせて庫内の所定の位置に設置し、図１に示すようにラッシングレール８１に配設した支持パイプ２０で中仕切り体１０の前後を挟持して冷蔵と冷凍の各室の間仕切りを行う。
【００６０】
このように中仕切り体１０は支持パイプ２０と支持操作ベルト４０の弛緩緊張による受けベルト部４２の昇降作動によって庫内での収納、積み下ろし設置作業を安全容易に行うことができるものである。また、中仕切り体１０の取り扱いが全て機械的な構造の組み合わせで行われるためコスト的にも有利となる。また、操作もベルトの引張弛緩操作で行うため簡便で安全である。
【００６１】
しかも、本発明の要旨である支持パイプ２０と、支持操作ベルト４０を摺動挿入した中空バー３０とを庫内に架設する場合、架設位置をラッシングレール８０における係合孔の選択で自在に変更することができ中仕切り体１０の収納構造の使い勝手を更に向上することができるものである。
【００６２】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【００６３】
Ｔ  運搬車
１０  中仕切り体
２０  支持パイプ
２１  位置決めガイド
３０  中空バー
４０  支持操作ベルト
４１  垂下ベルト
４２  受けベルト部
５０  ベルトロック機構
５１  ロック操作金具
５２  ロック作動体
５３  ロックレバー
５４  ベルト付勢圧着部
５５  枢支部
５６  枢支部
６０  ロック解除機構
６１  解除ベルト
７０  レバー受け軸
８０  ラッシングレール
８１  ラッシングレール
８２  ソケット金具
９０  仮想直線
９１  仮想直線
【図１】
2018193030.tif 000003
【図２】
2018193030.tif 000004
【図３】
2018193030.tif 000005
【図４】
2018193030.tif 000006
【図５】
2018193030.tif 000007
【図６】
2018193030.tif 000008
【図７】
2018193030.tif 000009
【図８】
2018193030.tif 000010
【図９】
2018193030.tif 000011
【図１０】
2018193030.tif 000012